(57)【要約】【課題】血液回路内の液体を円滑に配管部に流動させて透析液排出ラインから排出させることができる血液浄化装置を提供する。【解決手段】血液回路に配設されて血液を体外循環させるための血液ポンプ４と、接続ポート１４と除水ポンプ８との間の流路に配設された第１クランプ手段（Ｖ１０）と、接続ポート１４を挟んで第１クランプ手段（Ｖ１０）とは反対側の流路に配設された第２クランプ手段（Ｖ１１）とを具備するとともに、制御手段１６は、除水ポンプ８を駆動させて血液回路内の液体を透析液排出ラインＬ２から排出させるとき、第１クランプ手段（Ｖ１０）を開状態としつつ第２クランプ手段（Ｖ１１）を閉状態とし、血液ポンプ４を駆動させて血液回路内の液体を透析液排出ラインＬ２から排出させるとき、第１クランプ手段（Ｖ１０）を閉状態としつつ第２クランプ手段（Ｖ１１）を開状態とするものである。【選択図】図１
2018134492.tif 000002
【特許請求の範囲】
【請求項１】
患者の血液を体外循環可能な動脈側血液回路及び静脈側血液回路を有する血液回路と、
前記動脈側血液回路と静脈側血液回路との間に接続され、当該血液回路を流れる血液を浄化する血液浄化手段と、
該血液浄化手段に透析液を導入する透析液導入ライン及び当該血液浄化手段から透析液を排出する透析液排出ラインを含む配管部と、
前記配管部及び前記血液回路に接続されて、前記配管部の流路と前記血液回路の流路とを連通し得る連通ラインと、
前記配管部に配設されるとともに、前記連通ラインの一端を接続可能な接続手段と、
血液浄化治療時に前記配管部内の液体を流動させ得る所定のポンプ手段と、
前記配管部に配設された任意のクランプ手段の開閉、又は任意の前記ポンプ手段の駆動を制御し得る制御手段と、
を備えた血液浄化装置において、
前記接続手段は、前記配管部における所定の前記ポンプ手段の上流側に配設されるとともに、前記制御手段は、当該所定のポンプ手段を駆動させることにより、前記連通ラインを介して前記血液回路内の液体を前記配管部に流動させて前記透析液排出ラインから排出させ得るものとされ、且つ、
前記血液回路に配設されて血液を体外循環させるための血液ポンプと、
前記接続手段と前記所定のポンプ手段との間の流路に配設された第１クランプ手段と、
前記接続手段を挟んで前記第１クランプ手段とは反対側の流路に配設された第２クランプ手段と、
を具備するとともに、前記制御手段は、前記所定のポンプ手段を駆動させて前記血液回路内の液体を前記透析液排出ラインから排出させるとき、前記第１クランプ手段を開状態としつつ前記第２クランプ手段を閉状態とし、前記血液ポンプを駆動させて前記血液回路内の液体を前記透析液排出ラインから排出させるとき、前記第１クランプ手段を閉状態としつつ前記第２クランプ手段を開状態とすることを特徴とする血液浄化装置。
【請求項２】
前記血液回路に自重で前記液体を供給可能な供給手段を具備したことを特徴とする請求項１記載の血液浄化装置。
【請求項３】
前記液体は、前記血液回路内に供給されるプライミング液から成るとともに、当該プライミング液を供給してプライミングが行われる際、前記制御手段による制御にて前記所定のポンプ手段を駆動させることにより、前記連通ラインを介して前記血液回路内のプライミング液を前記配管部に流動させて前記透析液排出ラインから排出させ得ることを特徴とする請求項１又は請求項２記載の血液浄化装置。
【請求項４】
前記液体は、前記血液回路内に供給される置換液から成るとともに、当該置換液を供給して返血が行われた後、前記制御手段による制御にて前記所定のポンプ手段を駆動させることにより、前記連通ラインを介して前記血液回路内の置換液を前記配管部に流動させて前記透析液排出ラインから排出させ得ることを特徴とする請求項１又は請求項２記載の血液浄化装置。
【請求項５】
前記接続手段は、前記透析液排出ラインの所定部位から分岐した流路から成る分岐ラインに配設されるとともに、当該分岐ラインにおける前記所定のポンプ手段より上流側の流路には、前記血液回路内から流動させた液体に含まれる異物を捕捉し得る捕捉手段が取り付けられたことを特徴とする請求項１〜４の何れか１つに記載の血液浄化装置。
【請求項６】
前記分岐ラインに液体を流動させて前記捕捉手段で捕捉された異物を前記所定のポンプ手段を介さずに前記透析液排出ラインから排出させ得ることを特徴とする請求項５記載の血液浄化装置。
【請求項７】
前記接続手段は、前記連通ラインの一端を接続可能な接続ポートから成り、前記配管部の洗浄又は消毒時に当該接続ポートが洗浄又は消毒可能とされたことを特徴とする請求項１〜６の何れか１つに記載の血液浄化装置。
【発明の詳細な説明】
【技術分野】
【０００１】
本発明は、患者の血液を体外循環させつつ浄化するための血液浄化装置に関するものである。
【背景技術】
【０００２】
従来の血液浄化装置としての透析装置として、例えば特許文献１にて開示されているように、患者の血液を体外循環させる血液回路と、当該血液回路を流れる血液を浄化するダイアライザ等の血液浄化手段と、生理食塩液等のプライミング液を血液回路に供給し得るプライミング液供給手段と、血液回路に接続されたエアトラップチャンバから延設されたオーバーフローラインとを具備し、血液回路にて血液を体外循環させつつダイアライザにて血液浄化治療を行わせるものが提案されている。
【０００３】
かかる従来の透析装置におけるプライミング液供給手段は、所定量のプライミング液を収容した収容バッグと、該収容バッグから延設されて血液回路に接続されたプライミング液供給ラインとを有しており、プライミング時、収容バッグに収容されたプライミング液の自重（高低差による静水圧）にて当該プライミング液を血液回路に供給するよう構成されていた。そして、プライミング時、プライミング液供給手段にてプライミング液を血液回路に供給して充填させるとともに、そのプライミング液をオーバーフローラインにてオーバーフローさせて外部に排出していた。
【先行技術文献】
【特許文献】
【０００４】
【特許文献１】特開２０１０−２７３６９３号公報
【発明の概要】
【発明が解決しようとする課題】
【０００５】
上記従来の血液浄化装置においては、収容バッグに収容されたプライミング液の自重にてプライミング液を血液回路に供給しているので、収容バッグの設置位置が低いと、十分な静水圧を得ることができず、オーバーフローラインからプライミング液を円滑に排出することが困難な場合がある。また、プライミング液の自重によってプライミング液を血液回路に供給するので、プライミング液の流動抵抗にばらつきがあると、血液回路内から配管部に流動させる液体の流量の把握が困難となり、血液回路に対するプライミング液の供給量を精度よく管理することができない。したがって、その後の補液時や返血時にプライミング液を補液や置換液として使用する場合、補液又は置換液が不足してしまう虞もあった。
【０００６】
さらに、本出願人は、例えば治療後において置換液を血液回路に供給して当該血液回路内の血液を患者に返血するための置換液供給手段を具備し、返血終了後、血液回路内の置換液を透析装置本体内の配管部に排出させて廃棄し得る血液浄化装置を検討しているが、その場合、配管部内の透析液が抵抗となって血液回路内の置換液を円滑に排出することが困難な場合がある。
【０００７】
本発明は、このような事情に鑑みてなされたもので、血液回路内の液体を円滑に配管部に流動させて透析液排出ラインから排出させることができる血液浄化装置を提供することにある。
【課題を解決するための手段】
【０００８】
請求項１記載の発明は、患者の血液を体外循環可能な動脈側血液回路及び静脈側血液回路を有する血液回路と、前記動脈側血液回路と静脈側血液回路との間に接続され、当該血液回路を流れる血液を浄化する血液浄化手段と、該血液浄化手段に透析液を導入する透析液導入ライン及び当該血液浄化手段から透析液を排出する透析液排出ラインを含む配管部と、前記配管部及び前記血液回路に接続されて、前記配管部の流路と前記血液回路の流路とを連通し得る連通ラインと、前記配管部に配設されるとともに、前記連通ラインの一端を接続可能な接続手段と、血液浄化治療時に前記配管部内の液体を流動させ得る所定のポンプ手段と、前記配管部に配設された任意のクランプ手段の開閉、又は任意の前記ポンプ手段の駆動を制御し得る制御手段とを備えた血液浄化装置において、前記接続手段は、前記配管部における所定の前記ポンプ手段の上流側に配設されるとともに、前記制御手段は、当該所定のポンプ手段を駆動させることにより、前記連通ラインを介して前記血液回路内の液体を前記配管部に流動させて前記透析液排出ラインから排出させ得るものとされ、且つ、前記血液回路に配設されて血液を体外循環させるための血液ポンプと、前記接続手段と前記所定のポンプ手段との間の流路に配設された第１クランプ手段と、前記接続手段を挟んで前記第１クランプ手段とは反対側の流路に配設された第２クランプ手段とを具備するとともに、前記制御手段は、前記所定のポンプ手段を駆動させて前記血液回路内の液体を前記透析液排出ラインから排出させるとき、前記第１クランプ手段を開状態としつつ前記第２クランプ手段を閉状態とし、前記血液ポンプを駆動させて前記血液回路内の液体を前記透析液排出ラインから排出させるとき、前記第１クランプ手段を閉状態としつつ前記第２クランプ手段を開状態とすることを特徴とする。
【０００９】
請求項２記載の発明は、請求項１記載の血液浄化装置において、前記血液回路に自重で前記液体を供給可能な供給手段を具備したことを特徴とする。
【００１０】
請求項３記載の発明は、請求項１又は請求項２記載の血液浄化装置において、前記液体は、前記血液回路内に供給されるプライミング液から成るとともに、当該プライミング液を供給してプライミングが行われる際、前記制御手段による制御にて前記所定のポンプ手段を駆動させることにより、前記連通ラインを介して前記血液回路内のプライミング液を前記配管部に流動させて前記透析液排出ラインから排出させ得ることを特徴とする。
【００１１】
請求項４記載の発明は、請求項１又は請求項２記載の血液浄化装置において、前記液体は、前記血液回路内に供給される置換液から成るとともに、当該置換液を供給して返血が行われた後、前記制御手段による制御にて前記所定のポンプ手段を駆動させることにより、前記連通ラインを介して前記血液回路内の置換液を前記配管部に流動させて前記透析液排出ラインから排出させ得ることを特徴とする。
【００１２】
請求項５記載の発明は、請求項１〜４の何れか１つに記載の血液浄化装置において、前記接続手段は、前記透析液排出ラインの所定部位から分岐した流路から成る分岐ラインに配設されるとともに、当該分岐ラインにおける前記所定のポンプ手段より上流側の流路には、前記血液回路内から流動させた液体に含まれる異物を捕捉し得る捕捉手段が取り付けられたことを特徴とする。
【００１３】
請求項６記載の発明は、請求項５記載の血液浄化装置において、前記分岐ラインに液体を流動させて前記捕捉手段で捕捉された異物を前記所定のポンプ手段を介さずに前記透析液排出ラインから排出させ得ることを特徴とする。
【００１４】
請求項７記載の発明は、請求項１〜６の何れか１つに記載の血液浄化装置において、前記接続手段は、前記連通ラインの一端を接続可能な接続ポートから成り、前記配管部の洗浄又は消毒時に当該接続ポートが洗浄又は消毒可能とされたことを特徴とする。
【発明の効果】
【００１５】
請求項１の発明によれば、接続手段は、配管部における所定のポンプ手段の上流側に配設されるとともに、制御手段は、当該所定のポンプ手段を駆動させることにより、連通ラインを介して血液回路内の液体を配管部に流動させて透析液排出ラインから排出させ得るので、血液回路内の液体を円滑に配管部に流動させて透析液排出ラインから排出させることができる。
【００１６】
さらに、制御手段は、所定のポンプ手段を駆動させて血液回路内の液体を透析液排出ラインから排出させるとき、第１クランプ手段を開状態としつつ第２クランプ手段を閉状態とし、血液ポンプを駆動させて血液回路内の液体を透析液排出ラインから排出させるとき、第１クランプ手段を閉状態としつつ第２クランプ手段を開状態とするので、血液ポンプを駆動して血液回路内の液体を配管部に流動させる際には、所定のポンプ手段を介さずに透析液排出ラインから排出させることができる。
【００１７】
すなわち、所定のポンプ手段の駆動によって血液回路内の液体を配管部に流動させる際は、第１クランプ手段を開状態としつつ第２クランプ手段を閉状態とし、所定のポンプ手段による送液を可能とするとともに、血液ポンプの駆動によって血液回路内の液体を配管部に流動させる際は、第１クランプ手段を閉状態としつつ第２クランプ手段を開状態とし、所定のポンプ手段を介さずに送液を可能とするので、血液ポンプ及び所定のポンプ手段が同時に駆動して送液することにより流量コントロールが困難になってしまうのを回避することができるのである。
【００１８】
請求項２の発明によれば、血液回路に自重で液体を供給可能な供給手段を具備したので、自重によって液体を血液回路に供給するものにおいても、円滑に血液回路内の液体を配管部に流動させて透析液排出ラインから排出させることができる。
【００１９】
請求項３の発明によれば、液体は、血液回路内に供給されるプライミング液から成るとともに、当該プライミング液を供給してプライミングが行われる際、制御手段による制御にて所定のポンプ手段を駆動させることにより、連通ラインを介して血液回路内のプライミング液を配管部に流動させて透析液排出ラインから排出させ得るので、血液回路内のプライミング液を円滑に配管部に流動させて透析液排出ラインから排出させることができ、プライミングの作業性を向上させることができる。
【００２０】
請求項４の発明によれば、液体は、血液回路内に供給される置換液から成るとともに、当該置換液を供給して返血が行われた後、制御手段による制御にて所定のポンプ手段を駆動させることにより、連通ラインを介して血液回路内の置換液を配管部に流動させて透析液排出ラインから排出させ得るので、血液回路内の置換液を円滑に配管部に流動させて透析液排出ラインから排出させることができ、返血後における血液回路の廃棄時の作業性を向上させることができる。
【００２１】
請求項５の発明によれば、接続手段は、透析液排出ラインの所定部位から分岐した流路から成る分岐ラインに配設されるとともに、当該分岐ラインにおける所定のポンプ手段より上流側の流路には、血液回路内から流動させた液体に含まれる異物を捕捉し得る捕捉手段が取り付けられたので、血液回路内の異物が所定のポンプ手段に至ってしまうのを防止することができる。
【００２２】
請求項６の発明によれば、分岐ラインに液体を流動させて捕捉手段で捕捉された異物を所定のポンプ手段を介さずに透析液排出ラインから排出させ得るので、捕捉手段で捕捉された異物を排出することができるとともに、その異物が所定のポンプ手段に至ってしまうのを防止することができる。
【００２３】
請求項７の発明によれば、接続手段は、連通ラインの一端を接続可能な接続ポートから成り、配管部の洗浄又は消毒時に当該接続ポートが洗浄又は消毒可能とされたので、配管部の洗浄又は消毒工程において接続手段の洗浄又は消毒を併せて行わせることができ、接続手段の衛生管理を容易且つ確実に行うことができる。
【図面の簡単な説明】
【００２４】
【図１】本発明の第１の実施形態に係る血液浄化装置を示す模式図
【図２】同血液浄化装置の制御内容を示すフローチャート
【図３】同血液浄化装置におけるプライミング（オーバーフロー工程、第１洗浄工程）中の状態を示す模式図
【図４】同血液浄化装置におけるプライミング（送液工程）中の状態を示す模式図
【図５】同血液浄化装置におけるプライミング（第２洗浄工程）中の状態を示す模式図
【図６】本発明の第２の実施形態に係る血液浄化装置の制御内容を示すフローチャート
【図７】同血液浄化装置におけるプライミング（動脈側の充填工程）中の状態を示す模式図
【図８】同血液浄化装置におけるプライミング（オーバーフロー工程）中の圧力の経過を示すグラフ
【図９】本発明の実施形態に係る血液浄化装置における配管部の洗浄工程を示す模式図
【図１０】本発明の実施形態に係る血液浄化装置における配管部の洗浄工程を示す模式図
【図１１】本発明の第３の実施形態に係る血液浄化装置における回路内排液工程中の状態を示す模式図
【図１２】本発明の第４の実施形態に係る血液浄化装置における回路内排液工程中の状態を示す模式図
【図１３】本発明の他の実施形態（複式ポンプによるオーバーフロー工程）に係る血液浄化装置を示す模式図
【図１４】本発明の他の実施形態（加圧ポンプによるオーバーフロー工程）に係る血液浄化装置を示す模式図
【図１５】本発明の他の実施形態（接続ポートの配設が他の位置）に係る血液浄化装置を示す模式図
【発明を実施するための形態】
【００２５】
以下、本発明の実施形態について図面を参照しながら具体的に説明する。
第１の実施形態に係る血液浄化装置は、患者の血液を体外循環させつつ浄化し得る血液浄化治療（血液透析治療）で使用されるもので、図１に示すように、患者の血液を体外循環可能な動脈側血液回路２及び静脈側血液回路３を有する血液回路と、動脈側血液回路２と静脈側血液回路３との間に接続され、当該血液回路を流れる血液を浄化するダイアライザ１（血液浄化手段）と、透析装置本体Ｂ内に配設された透析液導入ラインＬ１及び透析液排出ラインＬ２を含む配管部と、制御手段１６とを具備して構成されている。
【００２６】
ダイアライザ１は、血液を浄化するためのもので、ポート１ａ、１ｂを介して血液回路を構成する動脈側血液回路２及び静脈側血液回路３とそれぞれ接続されるとともに、ポート１ｃ、１ｄを介して透析液導入ラインＬ１及び透析液排出ラインＬ２とそれぞれ接続されている。動脈側血液回路２には、しごき型ポンプから成る血液ポンプ４が配設されており、かかる血液ポンプ４を駆動させることにより、血液回路にて透析液等の液体を送液させ得るようになっている。
【００２７】
また、動脈側血液回路２の先端及び静脈側血液回路３の先端には、それぞれ動脈側穿刺針及び静脈側穿刺針が取り付け可能とされており、これら動脈側穿刺針及び静脈側穿刺針を患者に穿刺させつつ血液ポンプ４を駆動させることにより、動脈側穿刺針から採取された患者の血液を血液回路にて体外循環させ、ダイアライザ１にて血液浄化及び除水した後、静脈側穿刺針から患者に戻すようになっている。
【００２８】
動脈側血液回路２におけるクランプ手段Ｖａと血液ポンプ４との間には、供給ラインＬｃを介して生理食塩液（プライミングや返血等で使用する置換液）を収容した収容バッグｂが接続されており、供給ラインＬｃの途中に配設されたクランプ手段Ｖｃを開状態とすることにより、収容バッグｂ内の生理食塩液を自重（高低差による静圧）にて動脈側血液回路２に供給して血液回路のプライミングや返血等を行い得るようになっている。かかる供給ラインＬｃは、プライミング時においては「プライミング液を自重で血液回路に供給し得るプライミング液供給手段」を構成するとともに、返血時においては「置換液を前記血液回路に供給し得る置換液供給手段」を構成する。血液回路に供給される置換液は、生理食塩液に限定されず、他のプライミング液や置換液であってもよい。
【００２９】
なお、動脈側血液回路２には、エアトラップチャンバ５が接続され、先端側（動脈側血液回路２の供給ラインＬｃが接続された部位より上流側）にクランプ手段Ｖａが配設されるとともに、静脈側血液回路３には、エアトラップチャンバ６が接続され、先端側（静脈側血液回路３のエアトラップチャンバ６が接続された部位より下流側）にクランプ手段Ｖｂが配設されている。エアトラップチャンバ５には、血液回路におけるダイアライザ１の入口側液圧を検出し得るセンサが接続されるとともに、エアトラップチャンバ６には、治療時における血液回路内の静脈圧を検出し得るセンサが接続されている。また、本実施形態に係るエアトラップチャンバ５は、その上部から先端が大気開放された大気開放ラインＬｂが延設されるとともに、当該大気開放ラインＬｂを任意に開閉可能なクランプ手段Ｖｄが配設されている。
【００３０】
さらに、動脈側血液回路２におけるクランプ手段Ｖａと供給ラインＬｃとの接続部との間には、動脈側の気泡検出器１７が配設されるとともに、静脈側血液回路３におけるクランプ手段Ｖｂとエアトラップチャンバ６との間には、静脈側の気泡検出器１８が配設されている。これら気泡検出器１７、１８は、動脈側血液回路２又は静脈側血液回路３を流れる液体（血液等）中の気泡（エア）を検出し得るセンサから成る。
【００３１】
またさらに、透析液導入ラインＬ１及び透析液排出ラインＬ２には、所定濃度に調製された透析液をダイアライザ１に供給し、当該ダイアライザ１からの排液を排出させる送液ポンプとしての複式ポンプ７が接続されている。すなわち、透析液導入ラインＬ１及び透析液排出ラインＬ２に跨って複式ポンプ７が配設されており、かかる複式ポンプ７を駆動させることにより、ダイアライザ１に対して透析液導入ラインＬ１にて透析液を導入及び透析液排出ラインＬ２にて透析液（排液）を排出させ得るよう構成されているのである。
【００３２】
また、透析液導入ラインＬ１には、フィルタ１１、１２が接続されており、ダイアライザ１に導入する透析液をフィルタ１１、１２にて濾過し得るとともに、電磁弁Ｖ１、Ｖ７、Ｖ８にて任意タイミングで流路を遮断又は開放可能とされている。なお、透析液導入ラインＬ１は、バイパスラインＬ７、Ｌ８、Ｌ９にて透析液排出ラインＬ２と接続されており、これらバイパスラインＬ７、Ｌ８、Ｌ９には、電磁弁Ｖ３、Ｖ４、Ｖ１２がそれぞれ接続されている。さらに、透析液導入ラインＬ１には、当該透析液導入ラインＬ１を流れる透析液を採取可能な採取口１０（サンプルポート）が接続されている。
【００３３】
透析液排出ラインＬ２は、電磁弁Ｖ２、Ｖ９にて任意タイミングで流路を遮断又は開放可能とされているとともに、複式ポンプ７を迂回する迂回ラインＬ３、Ｌ４が接続されており、迂回ラインＬ３には除水ポンプ８が接続されている。なお、迂回ラインＬ４には、電磁弁Ｖ５が接続されている。これにより、血液回路にて患者の血液を体外循環させる過程で除水ポンプ８を駆動させることにより、ダイアライザ１を流れる血液から水分を取り除いて除水し得るようになっている。
【００３４】
さらに、透析液排出ラインＬ２における複式ポンプ７より上流側（図中左側）には、当該複式ポンプ７における透析液排出ラインＬ２の液圧調整を行う加圧ポンプ９が接続されており、当該加圧ポンプ９と複式ポンプ７との間からは、脱ガスチャンバ１３を介して迂回ラインＬ５が延設されている。かかる脱ガスチャンバ１３は、複式ポンプ７より上流側の透析液排出ラインＬ２を流れる透析液中の気泡を捕捉し、複式ポンプ７を迂回して迂回ラインＬ５から外部へ排出させるためのものである。
【００３５】
この迂回ラインＬ５には、電磁弁Ｖ６が接続されており、その電磁弁Ｖ６より上流側（チャンバ１３と電磁弁Ｖ６との間）とバイパスラインＬ９との間には、これらの流路を連通する分岐ラインＬ１０が接続されている。かかる分岐ラインＬ１０は、透析液排出ラインＬ２の所定部位から分岐した流路（具体的には、透析液排出ラインＬ２から分岐した分岐ラインＬ５の更なる分岐ライン）から成るとともに、電磁弁Ｖ１０（第１クランプ手段）及び電磁弁Ｖ１１（第２クランプ手段）が接続されており、当該電磁弁Ｖ１０と電磁弁Ｖ１１との間には、連通ラインＬａの先端を接続可能な接続ポート１４（接続手段）が取り付けられている。
【００３６】
本実施形態においては、第１クランプ手段としての電磁弁Ｖ１０は、接続ポート１４と除水ポンプ８（所定のポンプ手段）との間の流路に配設されるとともに、第２クランプ手段としての電磁弁Ｖ１１は、接続ポート１４（接続手段）を挟んで電磁弁Ｖ１０（第１クランプ手段）とは反対側の流路に配設されているのである。そして、連通ラインＬａの一端を接続ポート１４に接続するとともに、他端をエアトラップチャンバ６を介して血液回路（静脈側血液回路３）に接続することにより、血液回路内の液体（生理食塩液や他の置換液等）を透析液排出ラインＬ２まで流動させ得るようになっている。
【００３７】
なお、透析液排出ラインＬ２における迂回ラインＬ４の接続部と加圧ポンプ９との間から迂回ラインＬ３まで、迂回ラインＬ６が延設されており、かかる迂回ラインＬ６にはリリーフ弁ＶＬａが接続されている。さらに、透析液排出ラインＬ２における複式ポンプ７の下流側であって、迂回ラインＬ３と迂回ラインＬ４との接続部の間には、背圧弁ＶＬｂが接続されている。
【００３８】
透析装置本体Ｂは、ダイアライザ１に透析液を導入する透析液導入ラインＬ１及び当該ダイアライザ１から透析液を排出する透析液排出ラインＬ２を含む配管部と、制御手段１６とを有している。本発明に係る配管部は、透析液導入ラインＬ１及び透析液排出ラインＬ２の他、これら透析液導入ラインＬ１及び透析液排出ラインＬ２から分岐した迂回ライン（Ｌ３、Ｌ４、Ｌ５、Ｌ６）、バイパスライン（Ｌ７、Ｌ８、Ｌ９）及び分岐ラインＬ１０等を含み、透析液等を流通させ得るものである。
【００３９】
制御手段１６は、透析装置本体Ｂに配設されたマイコン等から成り、配管部又は血液回路に配設された任意のクランプ手段（例えば、電磁弁等）の開閉、任意のポンプの駆動を制御して、血液浄化治療やその治療前後の動作を行わせ得るものである。また、連通ラインＬａは、透析装置本体Ｂ内の配管部及び血液回路に接続されて、これら配管部の流路と血液回路の流路とを連通し得る流路から成る。本実施形態に係る連通ラインＬａは、クランプ手段Ｖｅが配設されており、当該クランプ手段Ｖｅを開状態とすることにより、エアトラップチャンバ６を介して動脈側血液回路２及び静脈側血液回路３と透析液排出ラインＬ２から分岐した分岐ラインＬ１０とを連通し得るとともに、当該クランプ手段Ｖｅを閉状態とすることにより、流路を閉塞し得るよう構成されている。
【００４０】
ここで、本実施形態においては、接続ポート１４（接続手段）は、配管部における除水ポンプ８（所定のポンプ手段）の上流側に配設されるとともに、制御手段１６は、除水ポンプ８（所定のポンプ手段）を駆動させることにより、連通ラインＬａを介して血液回路内のプライミング液（液体）を配管部に流動させて透析液排出ラインＬ２から排出させ得るよう構成されている。具体的には、供給ラインＬｃ（プライミング液供給手段）によるプライミング時、制御手段１６による制御にて除水ポンプ８（所定のポンプ手段）を駆動させることにより、連通ラインＬａを介して血液回路内の生理食塩液（プライミング液）を配管部に流動させて透析液排出ラインＬ２から排出させ得るのである。
【００４１】
さらに、本実施形態に係る接続ポート１４（接続手段）は、透析液排出ラインＬ２の所定部位から分岐した流路から成る分岐ラインＬ１０に配設されるとともに、当該分岐ラインＬ１０における除水ポンプ８（前記所定のポンプ手段）より上流側の流路には、血液回路内から流動させた液体に含まれる異物を捕捉し得るフィルタ１５（捕捉手段）が取り付けられている。このフィルタ１５は、液体を透過しつつ異物を捕捉し得る濾過フィルタ等から成るもので、第１クランプ手段としての電磁弁Ｖ１０と接続ポート１４（接続手段）との間の流路に取り付けられている。
【００４２】
また、本実施形態においては、例えば電磁弁Ｖ１０（第１クランプ手段）を閉状態としつつ電磁弁Ｖ１１（第２クランプ手段）を開状態とすることにより、分岐ラインＬ１０に液体を流動させてフィルタ１５（捕捉手段）で捕捉された異物を除水ポンプ８（所定のポンプ手段）を介さずに透析液排出ラインＬ２から排出させ得るよう構成されている。なお、フィルタ１５に代えて、血液回路内から流動させた液体に含まれる異物を捕捉し得る他の形態の捕捉手段としてもよい。
【００４３】
以下、第１の実施形態に係る制御手段１６によるプライミング時の具体的制御について、図２のフローチャートを用いて説明する。
先ず、図１に示すように、連通ラインＬａの一端をエアトラップチャンバ６に接続し、他端を接続ポート１４に接続した状態とするとともに、動脈側血液回路２及び静脈側血液回路３の先端同士を接続して閉回路を形成しておく。なお、供給ラインＬｃの先端には、生理食塩液（プライミング液）が収容された収容バッグｂを接続しておく。
【００４４】
そして、図３に示すように、血液ポンプ４の停止状態を維持するとともに、血液回路側のクランプ手段（Ｖａ、Ｖｂ、Ｖｃ、Ｖｅ）を開状態としつつクランプ手段Ｖｄを閉状態とし、且つ、配管部の電磁弁（Ｖ９、Ｖ１０）を開状態としつつ電磁弁（Ｖ２〜Ｖ６、Ｖ１１）を閉状態とし、その状態にて除水ポンプ８（所定のポンプ手段）を駆動させることにより、連通ラインＬａを介して血液回路内の生理食塩液（プライミング液）を配管部に流動させて透析液排出ラインＬ２から排出させる（オーバーフロー工程Ｓ１）。なお、配管部の電磁弁（Ｖ１、Ｖ７、Ｖ８、Ｖ１２）は、開状態及び閉状態の何れであってもよい。
【００４５】
その後、静脈側の気泡検出器１８にて気泡が検出されたか否かを判定し（Ｓ２）、所定時間、気泡が検出されない状態が続いたと判定されると、図４に示すように、供給ラインＬｃのクランプ手段Ｖｃ、連通ラインＬａのクランプ手段Ｖｅ及び大気開放ラインＬｂのクランプ手段Ｖｄを閉状態としつつ血液ポンプ４を逆回転駆動（治療時とは液体を反対側に送液する駆動）させ（送液工程Ｓ３）、静脈側の気泡検出器１８にて気泡が検出される（Ｓ４）と、Ｓ１に戻って再びオーバーフロー工程を行わせる。このように、静脈側の気泡検出器１８にて気泡が検出されなくなるまでＳ１〜Ｓ４を繰り返すことにより、オーバーフロー工程Ｓ１で生理食塩液（プライミング液）が供給されなかった血液回路の部位（供給ラインＬｃからダイアライザ１を介して連通ラインＬａに至る経路の部位）にも生理食塩液（プライミング液）を送液することができる。
【００４６】
そして、Ｓ４にて静脈側の気泡検出器１８による気泡の検出が所定時間ないと判定されると、図３に示すように、血液ポンプ４を停止するとともに、血液回路側のクランプ手段（Ｖａ、Ｖｂ、Ｖｃ、Ｖｅ）を開状態としつつクランプ手段Ｖｄを閉状態とし、且つ、配管部の電磁弁（Ｖ９、Ｖ１０）を開状態としつつ電磁弁（Ｖ２〜Ｖ６、Ｖ１１）を閉状態とし、その状態にて除水ポンプ８（所定のポンプ手段）を駆動させることにより、連通ラインＬａを介して血液回路内の生理食塩液（プライミング液）を配管部に流動させて透析液排出ラインＬ２から排出させる（第１洗浄工程Ｓ５）。なお、配管部の電磁弁（Ｖ１、Ｖ７、Ｖ８、Ｖ１２）は、開状態及び閉状態の何れであってもよい。
【００４７】
その後、図５に示すように、除水ポンプ８を停止させて代わりに血液ポンプ４を正回転駆動（治療時と同方向に液体を送液する駆動）させるとともに、血液回路側のクランプ手段（Ｖｃ、Ｖｅ）を開状態としつつクランプ手段（Ｖｄ、Ｖａ又はＶｂ）を閉状態とし、且つ、配管部の電磁弁（Ｖ９、Ｖ１１）を開状態及び電磁弁（Ｖ１、Ｖ２、Ｖ５、Ｖ１０）を閉状態とする（第２洗浄工程Ｓ６）。これにより、第１洗浄工程Ｓ５において配管部に送液できなかった部位（供給ラインＬｃからダイアライザ１を介して連通ラインＬａに至る経路の部位）の生理食塩液（プライミング液）を配管部に送液することができる。なお、配管部の電磁弁（Ｖ３、Ｖ４、Ｖ６〜Ｖ８、Ｖ１２）は、開状態及び閉状態の何れであってもよい。
【００４８】
以上で、一連のプライミング時の工程が終了する。なお、上記プライミング時においては、配管部側の除水ポンプ８を任意タイミングで駆動させており、複式ポンプ７及び加圧ポンプ９等の他のポンプ手段は停止した状態とされている。また、本実施形態においては、上記のように、除水ポンプ８（所定のポンプ手段）を駆動させて血液回路内の液体を透析液排出ラインＬ２から排出させるとき（例えば第１洗浄工程Ｓ５のとき）、第１クランプ手段（電磁弁Ｖ１０）を開状態としつつ第２クランプ手段（電磁弁Ｖ１１）を閉状態とし、血液ポンプ４を駆動させて血液回路内の液体を透析液排出ラインＬ２から排出させるとき（例えば第２洗浄工程Ｓ６のとき）、第１クランプ手段（電磁弁Ｖ１０）を閉状態としつつ第２クランプ手段（電磁弁Ｖ１１）を開状態としている。
【００４９】
次に、本発明の第２の実施形態に係る制御手段１６によるプライミング時の具体的制御について、図６のフローチャートを用いて説明する。
先ず、図７に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。なお、供給ラインＬｃの先端には、生理食塩液（プライミング液）が収容された収容バッグｂを接続しておく。
【００５０】
そして、同図に示すように、血液ポンプ４の停止状態を維持するとともに、血液回路側のクランプ手段（Ｖａ、Ｖｃ）を開状態としつつクランプ手段（Ｖｂ、Ｖｄ）を閉状態とし、且つ、配管部の電磁弁（Ｖ９、Ｖ１０）を開状態としつつ電磁弁（Ｖ２〜Ｖ６、Ｖ１１）を閉状態とし、その状態にて除水ポンプ８（所定のポンプ手段）を駆動させることにより、連通ラインＬａを介して血液回路内の生理食塩液（プライミング液）を配管部に流動させて透析液排出ラインＬ２から排出させる（動脈側の充填工程Ｓ１）。なお、配管部の電磁弁（Ｖ１、Ｖ７、Ｖ８、Ｖ１２）は、開状態及び閉状態の何れであってもよい。
【００５１】
動脈側の充填工程Ｓ１において、除水ポンプ８（所定のポンプ手段）の駆動による流量が所定量に達したか否か判断し（Ｓ２）、所定量に達した場合、図８に示すように、除水ポンプ８（所定のポンプ手段）を停止させるとともに、血液回路側のクランプ手段（Ｖｂ、Ｖｃ）を開状態としつつクランプ手段（Ｖａ、Ｖｄ）を閉状態とし、且つ、配管部の電磁弁（Ｖ９、Ｖ１１）を開状態としつつ電磁弁（Ｖ１、Ｖ２、Ｖ５、Ｖ６、Ｖ１０）を閉状態とし、その状態にて血液ポンプ４を正回転駆動させることにより、連通ラインＬａを介して血液回路内の生理食塩液（プライミング液）を配管部に流動させて透析液排出ラインＬ２から排出させる（静脈側の充填工程Ｓ３）。一方、Ｓ２にて所定量以下の場合はＳ１に戻って引き続き動脈側の充填工程Ｓ１が行われる。これにより、動脈側の充填工程Ｓ１において配管部に送液できなかった部位（供給ラインＬｃからダイアライザ１を介して連通ラインＬａに至る経路の部位）の生理食塩液（プライミング液）を配管部に送液することができる。なお、配管部の電磁弁（Ｖ３、Ｖ４、Ｖ７、Ｖ８、Ｖ１２）は、開状態及び閉状態の何れであってもよい。
【００５２】
そして、静脈側の充填工程Ｓ３において、血液ポンプ４の駆動による流量が所定量に達したか否か判断し（Ｓ４）、所定量以下の場合はＳ３に戻って引き続き静脈側の充填工程Ｓ３が行われるとともに、所定量に達した場合は一連のプライング時の工程が終了する。なお、上記プライミング時においては、複式ポンプ７及び加圧ポンプ９等の他のポンプ手段は停止した状態とされている。また、本実施形態においては、上記のように、除水ポンプ８（所定のポンプ手段）を駆動させて血液回路内の液体を透析液排出ラインＬ２から排出させるとき（動脈側の充填工程Ｓ１のとき）、第１クランプ手段（電磁弁Ｖ１０）を開状態としつつ第２クランプ手段（電磁弁Ｖ１１）を閉状態とし、血液ポンプ４を駆動させて血液回路内の液体を透析液排出ラインＬ２から排出させるとき（動脈側の充填工程Ｓ３のとき）、第１クランプ手段（電磁弁Ｖ１０）を閉状態としつつ第２クランプ手段（電磁弁Ｖ１１）を開状態としている。
【００５３】
上記第実施形態によれば、接続ポート１４（接続手段）は、配管部における所定のポンプ手段（本実施形態においては除水ポンプ８）の上流側に配設されるとともに、制御手段１６は、当該除水ポンプ８を駆動させることにより、連通ラインＬａを介して血液回路内の液体を配管部に流動させて透析液排出ラインＬ２から排出させ得るので、供給ラインＬｃから供給された血液回路内の液体（生理食塩液）を円滑に配管部に流動させて透析液排出ラインＬ２から排出させることができる。
【００５４】
特に、本実施形態においては、供給ラインＬｃ（プライミング液供給手段）によるプライミング時、制御手段１６による制御にて除水ポンプ８（所定のポンプ手段）を駆動させることにより、連通ラインＬａを介して血液回路内の生理食塩液（プライミング液）を配管部に流動させて透析液排出ラインＬ２から排出させ得るので、血液回路内のプライミング液を円滑に配管部に流動させて透析液排出ラインＬ２から排出させることができ、プライミングの作業性を向上させることができる。
【００５５】
このように、本実施形態においては、血液回路に自重で液体（プライミング液）を供給可能な供給ラインＬｃ（供給手段）を具備したので、自重によって液体を血液回路に供給するものにおいても、円滑に血液回路内の液体を配管部に流動させて透析液排出ラインＬ２から排出させることができる。なお、自重によらず液体（プライミング液）を血液回路に供給する血液浄化装置に適用してもよい。
【００５６】
また、本実施形態に係る接続ポート１４（接続手段）は、透析液排出ラインＬ２の所定部位から分岐した流路から成る分岐ラインＬ１０に配設されるとともに、当該分岐ラインＬ１０における所定のポンプ手段（本実施形態においては除水ポンプ８）より上流側の流路には、血液回路内から流動させた液体（生理食塩液等のプライミング液）に含まれる異物を捕捉し得るフィルタ１５（捕捉手段）が取り付けられたので、血液回路内の異物が除水ポンプ８（所定のポンプ手段）に至ってしまうのを防止することができる。
【００５７】
しかるに、分岐ラインＬ１０に液体を流動させてフィルタ１５（捕捉手段）で捕捉された異物を除水ポンプ８（所定のポンプ手段）を介さずに透析液排出ラインＬ２から排出させるよう構成するのが好ましい。例えば、プライミングが終了した後、分岐ラインＬ１０において、電磁弁Ｖ１０から電磁弁Ｖ１１に向かう方向に透析液を流通させてフラッシングを行うことにより、フィルタ１５（捕捉手段）で捕捉された異物を除水ポンプ８（所定のポンプ手段）を介さずに透析液排出ラインＬ２から排出させることができる。これにより、フィルタ１５（捕捉手段）で捕捉された異物を排出することができるとともに、その異物が除水ポンプ８（所定のポンプ手段）に至ってしまうのを防止することができる。
【００５８】
さらに、本実施形態に係る制御手段１６は、除水ポンプ８（所定のポンプ手段）を駆動させて血液回路内の液体（生理食塩液）を透析液排出ラインＬ２から排出させるとき、第１クランプ手段（電磁弁Ｖ１０）を開状態としつつ第２クランプ手段（電磁弁Ｖ１１）を閉状態とし、血液ポンプ４を駆動させて血液回路内の液体（生理食塩液）を透析液排出ラインＬ２から排出させるとき、第１クランプ手段（電磁弁Ｖ１０）を閉状態としつつ第２クランプ手段（電磁弁Ｖ１１）を開状態とするので、血液ポンプ４を駆動して血液回路内の液体を配管部に流動させる際には、除水ポンプ８（所定のポンプ手段）を介さずに透析液排出ラインＬ２から排出させることができる。
【００５９】
すなわち、除水ポンプ８（所定のポンプ手段）の駆動によって血液回路内の液体を配管部に流動させる際は、第１クランプ手段（電磁弁Ｖ１０）を開状態としつつ第２クランプ手段（電磁弁Ｖ１１）を閉状態とし、除水ポンプ８による送液を可能とするとともに、血液ポンプ４の駆動によって血液回路内の液体を配管部に流動させる際は、第１クランプ手段（電磁弁Ｖ１０）を閉状態としつつ第２クランプ手段（電磁弁Ｖ１１）を開状態とし、除水ポンプ８を介さずに送液を可能とするので、血液ポンプ４及び除水ポンプ８（所定のポンプ手段）が同時に駆動して送液することにより流量コントロールが困難になってしまうのを回避することができるのである。
【００６０】
一方、上記の如きプライミングの後、透析治療（血液浄化治療）が終了すると、連通ラインＬａが接続ポート１４から取り外されて血液回路と共に廃棄されるとともに、配管部の洗浄及び消毒が行われる。例えば配管部の洗浄又は消毒時において、図９に示すように、透析液導入ラインＬ１の先端及び透析液排出ラインＬ２の先端にカプラＣを接続して当該透析液導入ラインＬ１及び透析液排出ラインＬ２を連通させておく。
【００６１】
そして、配管部の洗浄又は消毒工程が開始されると、電磁弁（Ｖ１、Ｖ２、Ｖ５〜Ｖ９）を開状態としつつ電磁弁（Ｖ３、Ｖ４、Ｖ１０〜Ｖ１２）を閉状態とするとともに、透析液導入ラインＬ１に洗浄液又は消毒液を供給しつつ複式ポンプ７及び加圧ポンプ９を駆動させる。これにより、洗浄液が供給された場合は、分岐ラインＬ１０以外の流路の洗浄が行われるとともに、消毒液が供給された場合は、分岐ラインＬ１０以外の主な流路の消毒が行われることとなる。
【００６２】
その後、図１０に示すように、複式ポンプ７及び加圧ポンプ９の駆動を維持しつつ電磁弁（Ｖ１０、Ｖ１１）を開状態とするとともに、電磁弁Ｖ６を閉状態とする。これにより、洗浄液又は消毒液は、分岐ラインＬ１０を流通し、その流通過程で当該分岐ラインＬ１０及び接続ポート１４（接続手段）が洗浄又は消毒されることとなる。そして、図９、１０の状態による洗浄又は消毒を所定回数繰り返し行わせることにより、配管部の洗浄又は消毒が行われる。
【００６３】
しかして、本実施形態によれば、接続手段は、連通ラインＬａの一端を接続可能な接続ポート１４から成り、配管部の洗浄又は消毒時に当該接続ポート１４が洗浄又は消毒可能とされたので、配管部の洗浄又は消毒工程において接続手段の洗浄又は消毒を併せて行わせることができ、接続手段（接続ポート１４）の衛生管理を容易且つ確実に行うことができる。
【００６４】
次に、本発明の第３実施形態に係る血液浄化装置について説明する。
本実施形態に係る血液浄化装置は、第１、２の実施形態と同様、患者の血液を体外循環させつつ浄化し得る血液浄化治療（血液透析治療）で使用されるもので、図１１に示すように、置換液を血液回路に供給し得る置換液供給手段（供給ラインＬｃ）を具備するとともに、当該置換液供給手段によって置換液を供給して返血が行われた後、制御手段１６による制御にて所定のポンプ手段（除水ポンプ８）を駆動させることにより、連通ラインＬａを介して血液回路内の置換液を配管部に流動させて透析液排出ラインＬ２から排出させ得るものである。なお、第１の実施形態と同様の構成要素には同一の符号を付し、それらの詳細な説明を省略する。
【００６５】
より具体的には、本実施形態においては、血液回路にて患者の血液を体外循環させて血液浄化治療が終了した後、クランプ手段Ｖｃを開状態とすることにより、収容バッグｂ内の生理食塩液を置換液として血液回路に供給するとともに、その供給された置換液と血液回路内の血液とを置換させることにより、血液回路内の血液を患者に返血するよう構成されている。そして、返血後、血液回路内に置換液が充填された状態において、図１１に示すように、動脈側血液回路２及び静脈側血液回路３の先端同士を接続して閉回路を形成しておくとともに、連通ラインＬａは、一端が接続ポート１４及び他端が血液回路に接続された状態としておく。
【００６６】
その後、同図に示すように、血液回路側のクランプ手段（Ｖａ、Ｖｂ、Ｖｃ、Ｖｄ、Ｖｅ）を開状態とし、且つ、配管部の電磁弁（Ｖ９、Ｖ１０）を開状態としつつ電磁弁（Ｖ１、Ｖ２、Ｖ５、Ｖ６、Ｖ１１、Ｖ１２）を閉状態とし、その状態にて、血液ポンプ４を逆回転駆動させつつ除水ポンプ８を駆動させる。なお、配管部の電磁弁（Ｖ３、Ｖ４、Ｖ７、Ｖ８）は、開状態及び閉状態の何れであってもよい。
【００６７】
また、除水ポンプ８による流量の方が血液ポンプ４による流量よりも大きく設定されているとともに、所定時間経過後、血液ポンプ４を停止させて除水ポンプ８のみの駆動とすることにより、残りの生理食塩液を当該除水ポンプ８にて配管部側に引き込むことができる。
【００６８】
これにより、制御手段１６による制御にて所定のポンプ手段（本実施形態においては除水ポンプ８）を駆動させることにより、連通ラインＬａを介して血液回路内の置換液を配管部に流動させて透析液排出ラインＬ２から排出させることができる。したがって、血液回路内の置換液を円滑に配管部に流動させて透析液排出ラインＬ３から排出させることができ、返血後における血液回路の廃棄時の作業性を向上させることができる。
【００６９】
このように、本実施形態においては、血液回路に自重で液体（置換液）を供給可能な供給ラインＬｃ（供給手段）を具備したので、自重によって液体を血液回路に供給するものにおいても、円滑に血液回路内の液体を配管部に流動させて透析液排出ラインＬ２から排出させることができる。なお、自重によらず液体（置換液）を血液回路に供給する血液浄化装置に適用してもよい。
【００７０】
次に、本発明の第４実施形態に係る血液浄化装置について説明する。
本実施形態に係る血液浄化装置は、第１、２の実施形態と同様、患者の血液を体外循環させつつ浄化し得る血液浄化治療（血液透析治療）で使用されるもので、図１２に示すように、置換液を血液回路に供給し得る置換液供給手段（供給ラインＬｃ）を具備するとともに、当該置換液供給手段によって置換液を供給して返血が行われた後、制御手段１６による制御にて所定のポンプ手段（除水ポンプ８）を駆動させることにより、連通ラインＬａを介して血液回路内の置換液を配管部に流動させて透析液排出ラインＬ２から排出させ得るものである。なお、第１の実施形態と同様の構成要素には同一の符号を付し、それらの詳細な説明を省略する。
【００７１】
より具体的には、本実施形態においては、血液回路にて患者の血液を体外循環させて血液浄化治療が終了した後、クランプ手段Ｖｃを開状態とすることにより、収容バッグｂ内の生理食塩液を置換液として血液回路に供給するとともに、その供給された置換液と血液回路内の血液とを置換させることにより、血液回路内の血液を患者に返血するよう構成されている。そして、返血後、血液回路内に置換液が充填された状態において、図１２に示すように、動脈側血液回路２及び静脈側血液回路３の先端にＹ字管ａを接続するとともに、そのＹ字管ａの先端と接続ポート１４とに連通ラインＬａを接続した状態（プライミングを行うための状態）とする。
【００７２】
その後、同図に示すように、血液回路側のクランプ手段（Ｖａ、Ｖｂ、Ｖｃ、Ｖｆ）を開状態としつつクランプ手段Ｖｄを閉状態とし、且つ、配管部の電磁弁（Ｖ９、Ｖ１０）を開状態としつつ電磁弁（Ｖ１、Ｖ２、Ｖ５、Ｖ６、Ｖ１１、Ｖ１２）を閉状態とし、その状態にて、血液ポンプ４を逆回転駆動させつつ除水ポンプ８を駆動させる。なお、配管部の電磁弁（Ｖ３、Ｖ４、Ｖ７、Ｖ８）は、開状態及び閉状態の何れであってもよい。
【００７３】
また、除水ポンプ８による流量の方が血液ポンプ４による流量よりも大きく設定されているとともに、所定時間経過後、血液ポンプ４を停止させて除水ポンプ８のみの駆動とすることにより、残りの生理食塩液を当該除水ポンプ８で配管部側に引き込むことができる。
【００７４】
これにより、制御手段１６による制御にて所定のポンプ手段（本実施形態においては除水ポンプ）を駆動させることにより、連通ラインＬａを介して血液回路内の置換液を配管部に流動させて透析液排出ラインＬ２から排出させることができる。したがって、血液回路内の置換液を円滑に配管部に流動させて透析液排出ラインＬ３から排出させることができ、返血後における血液回路の廃棄時の作業性を向上させることができる。
【００７５】
このように、本実施形態においては、血液回路に自重で液体（置換液）を供給可能な供給ラインＬｃ（供給手段）を具備したので、自重によって液体を血液回路に供給するものにおいても、円滑に血液回路内の液体を配管部に流動させて透析液排出ラインＬ２から排出させることができる。なお、自重によらず液体（置換液）を血液回路に供給する血液浄化装置に適用してもよい。
【００７６】
以上、本実施形態について説明したが、本発明はこれらに限定されるものではなく、例えば所定のポンプ手段として除水ポンプ８が使用されるものに限らず、複式ポンプ７を所定のポンプ手段としてもよい。この場合、図１３に示すように、接続ポート１４（接続手段）は、配管部における複式ポンプ７（所定のポンプ手段）の上流側に配設されるとともに、制御手段１６は、当該複式ポンプ７（所定のポンプ手段）を駆動させることにより、連通ラインＬａを介して血液回路内の液体を配管部に流動させて透析液排出ラインＬ２から排出させ得るよう構成されている。
【００７７】
例えば、同図に示すように、透析液導入ラインＬ１において複式ポンプ７をバイパスするバイパスラインＬｅを形成し、そのバイパスラインＬｅに電磁弁Ｖｇを配設する。そして、血液回路側のクランプ手段（Ｖａ、Ｖｂ、Ｖｃ、Ｖｅ）を開状態としつつクランプ手段Ｖｄを閉状態とし、且つ、配管部の電磁弁（Ｖ９、Ｖ１０、Ｖｇ）を開状態としつつ電磁弁（Ｖ１〜Ｖ６、Ｖ１１、Ｖ１２）を閉状態とし、その状態にて複式ポンプ７（所定のポンプ手段）を駆動させる。なお、配管部の電磁弁（Ｖ７、Ｖ８）は、開状態及び閉状態の何れであってもよい。
【００７８】
しかして、所定のポンプ手段としての複式ポンプ７を駆動させることにより、連通ラインＬａを介して血液回路内の生理食塩液（プライミング液又は置換液）を配管部に流動させて透析液排出ラインＬ２から排出させることができる。なお、動脈側血液回路２及び静脈側血液回路３の先端にＹ字管を接続するとともに、そのＹ字管の先端と接続ポート１４とに連通ラインＬａを接続したものであってもよい。
【００７９】
さらに、所定のポンプ手段として除水ポンプ８や複式ポンプ７が使用されるものに限らず、加圧ポンプ９を所定のポンプ手段としてもよい。この場合、図１４に示すように、接続ポート１４（接続手段）は、配管部における加圧ポンプ９（所定のポンプ手段）の上流側に配設されるとともに、制御手段１６は、当該加圧ポンプ９（所定のポンプ手段）を駆動させることにより、連通ラインＬａを介して血液回路内の液体を配管部に流動させて透析液排出ラインＬ２から排出させ得るよう構成されている。
【００８０】
例えば、同図に示すように、分岐ラインＬ１０’を透析液排出ラインＬ２から分岐させ、その分岐ラインＬ１０’に接続ポート１４、第１クランプ手段としての電磁弁Ｖ１０及び第２クランプ手段としての電磁弁Ｖ１１を配設する。そして、血液回路側のクランプ手段（Ｖａ、Ｖｂ、Ｖｃ、Ｖｅ）を開状態としつつクランプ手段Ｖｄを閉状態とし、且つ、配管部の電磁弁（Ｖ６、Ｖ９、Ｖ１０）を開状態としつつ電磁弁（Ｖ１、Ｖ２、Ｖ５、Ｖ１１、Ｖ１２）を閉状態とし、その状態にて加圧ポンプ９（所定のポンプ手段）を駆動させる。なお、配管部の電磁弁（Ｖ７、Ｖ８）は、開状態及び閉状態の何れであってもよい。
【００８１】
しかして、所定のポンプ手段としての加圧ポンプ９を駆動させることにより、連通ラインＬａを介して血液回路内の生理食塩液（プライミング液又は置換液）を配管部に流動させて透析液排出ラインＬ２から排出させることができる。なお、動脈側血液回路２及び静脈側血液回路３の先端にＹ字管を接続するとともに、そのＹ字管の先端と接続ポート１４とに連通ラインＬａを接続したものであってもよい。
【００８２】
一方、上記実施形態においては、何れも接続手段としての接続ポート１４、第１クランプ手段としての電磁弁Ｖ１０及び第２クランプ手段としての電磁弁Ｖ１１が分岐ラインＬ５から更に分岐された分岐ラインＬ１０（Ｌ１０’）に配設されているが、図１５に示すように、分岐ラインＬ５に接続手段としての接続ポート１４、第１クランプ手段としての電磁弁Ｖ１０及び第２クランプ手段としての電磁弁Ｖ１１を配設したものとしてもよい。
【００８３】
また、所定のポンプ手段として、除水ポンプ８、複式ポンプ７及び加圧ポンプ９の他、配管部に配設された他のポンプ手段（血液浄化治療時に配管部内の液体を流動させ得るポンプ）としてもよい。なお、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。
【産業上の利用可能性】
【００８４】
接続手段は、配管部における所定のポンプ手段の上流側に配設されるとともに、制御手段は、当該所定のポンプ手段を駆動させることにより、連通ラインを介して血液回路内の液体を配管部に流動させて透析液排出ラインから排出させ得るものとされ、且つ、血液回路に配設されて血液を体外循環させるための血液ポンプと、接続手段と所定のポンプ手段との間の流路に配設された第１クランプ手段と、接続手段を挟んで第１クランプ手段とは反対側の流路に配設された第２クランプ手段とを具備するとともに、制御手段は、所定のポンプ手段を駆動させて血液回路内の液体を透析液排出ラインから排出させるとき、第１クランプ手段を開状態としつつ第２クランプ手段を閉状態とし、血液ポンプを駆動させて血液回路内の液体を透析液排出ラインから排出させるとき、第１クランプ手段を閉状態としつつ第２クランプ手段を開状態とする血液浄化装置であれば、外観形状が異なるもの、或いは他の機能が付加されたもの等にも、本発明を適用することができる。
【符号の説明】
【００８５】
１  ダイアライザ（血液浄化手段）
２  動脈側血液回路
３  静脈側血液回路
４  血液ポンプ
５、６  エアトラップチャンバ
７  複式ポンプ
８  除水ポンプ
９  加圧ポンプ
１０  採取口
１１、１２  フィルタ
１３  脱ガスチャンバ
１４  接続ポート（接続手段）
１５  フィルタ（捕捉手段）
１６  制御手段
１７  （動脈側の）気泡検出器
１８  （静脈側の）気泡検出器
Ｌ１  透析液導入ライン
Ｌ２  透析液排出ライン
Ｌ３、Ｌ４、Ｌ５、Ｌ６  迂回ライン
Ｌ７、Ｌ８、Ｌ９  バイパスライン
Ｌ１０  分岐ライン
Ｌａ  連通ライン
Ｌｂ  大気開放ライン
Ｌｃ  供給ライン（供給手段）
Ｌｄ  大気開放ライン
【図１】
2018134492.tif 000003
【図２】
2018134492.tif 000004
【図３】
2018134492.tif 000005
【図４】
2018134492.tif 000006
【図５】
2018134492.tif 000007
【図６】
2018134492.tif 000008
【図７】
2018134492.tif 000009
【図８】
2018134492.tif 000010
【図９】
2018134492.tif 000011
【図１０】
2018134492.tif 000012
【図１１】
2018134492.tif 000013
【図１２】
2018134492.tif 000014
【図１３】
2018134492.tif 000015
【図１４】
2018134492.tif 000016
【図１５】
2018134492.tif 000017